【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
第１の像担持体と、
第２の像担持体と、
潜像が形成された前記第１の像担持体に当接し、前記潜像を現像する第１の現像手段と、
潜像が形成された前記第２の像担持体に当接し、前記潜像を現像する第２の現像手段とを有し、
前記第１の像担持体と前記第１の現像手段とを当接及び離間する、及び前記第２の像担持体と前記第２の現像手段とを当接及び離間することが可能な画像形成装置であって、
前記第１の像担持体と前記第１の現像手段が離間している状態から切り替えを開始し、前記第１の像担持体と前記第１の現像手段が当接している状態になるまでの第１の当接検知時間と、前記第２の像担持体と前記第２の現像手段が離間している状態から切り替えを開始し、前記第２の像担持体と前記第２の現像手段が当接している状態になるまでの第２の当接検知時間を検知する検知手段と、
前記検知手段により検知された第１の当接検知時間に応じて、前記第１の像担持体と前記第１の現像手段の当接タイミング及び、又は当接速度を調整する制御手段を備え、
前記制御手段は、前記第１の像担持体と前記第１の現像手段の当接タイミング及び／又は当接速度を調整した後、前記第１の当接検知時間と前記検知手段により検知された前記第２の当接検知時間とに応じて、前記第２の像担持体と前記第２の現像手段の当接タイミング及び、又は当接速度を調整することを特徴とする画像形成装置。
【請求項２】
前記第１の像担持体と前記第１の現像手段を当接及び離間させる、及び前記第２の像担持体と前記第２の現像手段の当接及び離間させるための駆動手段を有し、
前記制御手段は、前記検知手段により検知された当接検知時間に応じて前記駆動手段の速度を加減速することによって当接タイミング及び、又は当接速度を調整することを特徴とする請求項１に記載の画像形成装置。
【請求項３】
前記駆動手段は、ひとつの駆動源であることを特徴とする請求項１又は２のいずれかに記載の画像形成装置。
【請求項４】
前記制御手段は、前記検知手段により前記第１の当接検知時間と前記第２の当接検知時間を検知するために、前記駆動手段を上限速度で駆動させることを特徴とする請求項１乃至３のいずれか１項に記載の画像形成装置。
【請求項５】
前記制御手段は、前記駆動手段の上限速度を超えない速度で、前記第１の像担持体と前記第１の現像手段の当接タイミング及び、又は当接速度の調整を行う、及び前記第２の像担持体と前記第２の現像手段の当接タイミング及び、又は当接速度の調整を行うことを特徴する請求項４に記載の画像形成装置。
【請求項６】
前記制御手段は、前記第２の像担持体と前記第２の現像手段が所定のタイミングより早く当接しないように、前記第１の像担持体と前記第１の現像手段の当接タイミング及び、又は当接速度を調整することを特徴とする請求項５に記載の画像形成装置。
【請求項７】
前記検知手段は、転写体の上に形成されたトナーパターンを検知することで、前記第１の当接検知時間と前記第２の当接検知時間の検知を行うことを特徴とする請求項１乃至６のいずれか１項に記載の画像形成装置。
【請求項８】
第１の像担持体と、
第２の像担持体と、
潜像が形成された前記第１の像担持体に当接し、前記潜像を現像する第１の現像手段と、
潜像が形成された前記第２の像担持体に当接し、前記潜像を現像する第２の現像手段とを有し、
前記第１の像担持体と前記第１の現像手段とを当接及び離間する、及び前記第２の像担持体と前記第２の現像手段とを当接及び離間することが可能な画像形成装置であって、
前記第１の像担持体と前記第１の現像手段が当接している状態から切り替えを開始し、前記第１の像担持体と前記第１の現像手段が離間している状態になるまでの第１の離間検知時間と、前記第２の像担持体と前記第２の現像手段が当接している状態から切り替えを開始し、前記第２の像担持体と前記第２の現像手段が離間している状態になるまでの第２の離間検知時間を検知する検知手段と、
前記検知手段により検知された第１の離間検知時間に応じて、前記第１の像担持体と前記第１の現像手段の離間タイミング及び、又は離間速度を調整する制御手段を備え、
前記制御手段は、前記第１の像担持体と前記第１の現像手段の離間タイミング及び／又は離間速度を調整した後、前記第１の離間検知時間と前記検知手段により検知された前記第２の離間検知時間とに応じて、前記第２の像担持体と前記第２の現像手段の離間タイミング及び、又は離間速度を調整することを特徴とする画像形成装置。
【請求項９】
前記第１の像担持体と前記第１の現像手段を当接及び離間させる、及び前記第２の像担持体と前記第２の現像手段の当接及び離間させるための駆動手段を有し、
前記制御手段は、前記検知手段により検知された離間検知時間に応じて前記駆動手段の速度を加減速することによって離間タイミング及び、又は離間速度を調整することを特徴とする請求項８に記載の画像形成装置。
【請求項１０】
前記駆動手段は、ひとつの駆動源であることを特徴とする請求項８又は９のいずれかに記載の画像形成装置。
【請求項１１】
前記制御手段は、前記検知手段により前記第１の離間検知時間と前記第２の離間検知時間を検知するために、前記駆動手段を上限速度で駆動させることを特徴とする請求項８乃至１０のいずれか１項に記載の画像形成装置。
【請求項１２】
前記制御手段は、前記駆動手段の上限速度を超えない速度で、前記第１の像担持体と前記第１の現像手段の離間タイミング及び、又は離間速度の調整を行う、及び前記第２の像担持体と前記第２の現像手段の離間タイミング及び、又は離間速度の調整を行うことを特徴する請求項１１に記載の画像形成装置。
【請求項１３】
前記制御手段は、前記第２の像担持体と前記第２の現像手段が所定のタイミングより早く離間しないように、前記第１の像担持体と前記第１の現像手段の離間タイミング及び、又は離間速度を調整することを特徴とする請求項１２に記載の画像形成装置。
【請求項１４】
前記検知手段は、転写体の上に形成されたトナーパターンを検知することで、前記第１の離間検知時間と前記第２の離間検知時間の検知を行うことを特徴とする請求項８乃至１３のいずれか１項に記載の画像形成装置。
【手続補正２】
【補正対象書類名】明細書
【補正対象項目名】０００８
【補正方法】変更
【補正の内容】
【０００８】
上記目的を達成するために、第１の像担持体と、第２の像担持体と、潜像が形成された前記第１の像担持体に当接し、前記潜像を現像する第１の現像手段と、潜像が形成された前記第２の像担持体に当接し、前記潜像を現像する第２の現像手段と、を有し、前記第１の像担持体と前記第１の現像手段とを当接及び離間する、及び前記第２の像担持体と前記第２の現像手段とを当接及び離間することが可能な画像形成装置であって、前記第１の像担持体と前記第１の現像手段が離間している状態から切り替えを開始し、前記第１の像担持体と前記第１の現像手段が当接している状態になるまでの第１の当接検知時間と、前記第２の像担持体と前記第２の現像手段が離間している状態から切り替えを開始し、前記第２の像担持体と前記第２の現像手段が当接している状態になるまでの第２の当接検知時間を検知する検知手段と、前記検知手段により検知された第１の当接検知時間に応じて、前記第１の像担持体と前記第１の現像手段の当接タイミング及び、又は当接速度を調整する制御手段を備え、前記制御手段は、前記第１の像担持体と前記第１の現像手段の当接タイミング及び／又は当接速度を調整した後、前記第１の当接検知時間と前記検知手段により検知された前記第２の当接検知時間とに応じて、前記第２の像担持体と前記第２の現像手段の当接タイミング及び、又は当接速度を調整することを特徴とする。